(57)【要約】【課題】軽量で地震に強く、しかも、容易に組み立てることができるフェンスを提供すること。【解決手段】複数の支柱２と、互いに上下に間隔をおいて水平面に対して傾斜した状態で複数の支柱２の間に架設された複数の羽板３と、羽板３の端部を支持する、支柱２に設けられた支持部材４と、羽板３の移動を規制する、支柱２に設けられた規制板６と、を備える。支持部材４は、羽板３を斜め上方に引き抜き可能に支持する。規制板６は、支持部材４に支持された羽板３が支持部材４から斜め上方に引き抜くことができないように羽板３の移動を規制する。【選択図】図２Ｃ
2020094384.tif 000002
【特許請求の範囲】
【請求項１】
複数の支柱と、
互いに上下に間隔をおいて水平面に対して傾斜した状態で前記複数の支柱の間に架設された複数の羽板と、
前記羽板の端部を支持する、前記支柱に設けられた支持部材と、
前記羽板の移動を規制する、前記支柱に設けられた規制板と、
を備え、
前記支持部材は、前記羽板を斜め上方に引き抜き可能に支持し、
前記規制板は、前記支持部材に支持された前記羽板が前記支持部材から斜め上方に引き抜くことができないように前記羽板の移動を規制する、
ことを特徴とするフェンス。
【請求項２】
請求項１に記載のフェンスにおいて、
前記規制板は、前記支柱に対して取り外し可能に固定されており、
前記羽板は、木製の羽板である、
ことを特徴とするフェンス。
【請求項３】
請求項１又は２に記載のフェンスにおいて、
前記支持部材は、前記羽板の端部を受ける受部と、前記支柱の側面に固定される固定部と、を有し、
前記受部は、斜め上方に開口した断面略コ字状ないし断面略Ｕ字状に形成されている、
ことを特徴とするフェンス。
【発明の詳細な説明】
【技術分野】
【０００１】
本発明は、フェンスに関する。
【背景技術】
【０００２】
近年、学校等の老朽化したブロック塀が地震によって倒壊し、通行人が被害を受けるという事故が発生している。
【０００３】
従来より、地震に強いことを謳ったフェンス（塀）は、多く提案されている。例えば、特許文献１には、木材を複数段積み上げた構造からなるフェンスが記載されている。このフェンスは、軽量で地震に強いものとして記載されている。
【先行技術文献】
【特許文献】
【０００４】
【特許文献１】特開２０１１−０２６８７４号公報
【発明の概要】
【発明が解決しようとする課題】
【０００５】
本発明は、従来よりも軽量で地震に強く、しかも、容易に組み立てることができるフェンスを提供することを目的とする。
【課題を解決するための手段】
【０００６】
本発明に係るフェンスは、複数の支柱と、互いに上下に間隔をおいて水平面に対して傾斜した状態で前記複数の支柱の間に架設された複数の羽板と、前記羽板の端部を支持する、前記支柱に設けられた支持部材と、前記羽板の移動を規制する、前記支柱に設けられた規制板と、を備える。前記支持部材は、前記羽板を斜め上方に引き抜き可能に支持する。前記規制板は、前記支持部材に支持された前記羽板が前記支持部材から斜め上方に引き抜くことができないように前記羽板の移動を規制する。
【０００７】
かかる構成を備えるフェンスによれば、複数の羽板が互いに上下に間隔をおいて支柱の間に架設されているので、軽量で地震に強いものとすることができる。また、羽板の両端部を支持部材に差し込むだけで、支柱間に羽板を架設することができるので、羽板が多数あっても容易に組み立てることができる。
【０００８】
上記構成を備えるフェンスにおいて、前記規制板は、前記支柱に対して取り外し可能に固定されており、前記羽板は、木製の羽板であることが望ましい。
【０００９】
羽板に経年腐食が生じて将来的に取り替える必要が生じても、規制板を取り外すだけで容易に羽板を新しいものに取り替えることができる。
【００１０】
上記構成を備えるフェンスにおいて、前記支持部材は、前記羽板の端部を受ける受部と、前記支柱の側面に固定される固定部と、を有し、前記受部は、斜め上方に開口した断面略コ字状ないし断面略Ｕ字状に形成されている、ものであってもよい。
【発明の効果】
【００１１】
本発明によれば、軽量で地震に強く、しかも、容易に組み立てることができるフェンスを提供することができる。
【図面の簡単な説明】
【００１２】
【図１】フェンスを正面から視た図である。
【図２Ａ】支柱カバーおよびその周囲を上から視た図である。但し、笠木および取付部材は図示を省略している。
【図２Ｂ】支柱カバーの上部およびその周囲を正面から視た図である。但し、羽板は最上段の羽板のみ図示し、その他の羽板は図示を省略している。
【図２Ｃ】支柱カバーを側方から視た図である。
【図３Ａ】図２Ａにおいて規制板および支柱カバーを省略した図である。
【図３Ｂ】図２Ｂにおいて規制板および支柱カバーを省略した図である。
【図３Ｃ】図２Ｃにおいて規制板および支柱カバーを省略した図である。
【図４Ａ】図２Ａにおいて規制板を省略した図である。
【図４Ｂ】図２Ｂにおいて規制板を省略した図である。
【図４Ｃ】図２Ｃにおいて規制板を省略した図である。
【図５】（ａ）は羽板補強板を側方から視た図である。（ｂ）は羽板補強板を正面から視た図である。
【図６】（ａ）は羽板補強板を側方から視た図である。（ｂ）は羽板補強板を正面から視た図である。
【図７】（ａ）は羽板補強板を側方から視た図である。（ｂ）は羽板補強板を正面から視た図である。
【図８】複数のフェンスの配置を上から視た模式図である。
【発明を実施するための形態】
【００１３】
以下、本発明の実施の形態に係るフェンスについて、図面を参照しつつ説明する。図１及び図２Ａ〜図２Ｃに示すように、本実施形態に係るフェンス１は、支柱２、羽板３、支持部材４（図２Ａ参照）、支柱カバー５（図２Ａ参照）、規制板６、羽板補強材７（図１参照）等で構成されている。
【００１４】
支柱２は、羽板３の長さと略同じ距離をあけて複数立設されている。支柱２は、その基部２ａがコンクリート基礎１１に埋め込まれることで地面１２の上に立設されている。本実施形態では、支柱２は、アルミニウム合金製である。但し、支柱２の材料は、アルミニウム合金に限定されず、他の金属であってもよい。なお、支柱２の基部２ａには、抜け止め部材８が設けられている。
【００１５】
支柱２は、図２Ａおよび図２Ｃに示すように、支柱カバー５によって覆われている。支柱カバー５を省略して図示すると、図３Ａ〜図３Ｃのようになる。同図に示すように、本実施形態では支柱２に角パイプが使用されている。支柱２の側面には、支持部材４が設けられ、支柱２の上部には、図３Ｂに示すように、笠木１３が設けられている。笠木１３は、支柱２に対して取付部材１４を介して取り付けられている。図３Ｂに例示する取付部材１４は、アングル材である。本実施形態では、笠木１３の材料は支柱２と同様にアルミニウム合金製の角パイプからなる。但し、笠木の材料は、アルミニウム合金に限定されず、他の金属または木材であってもよい。
【００１６】
羽板３は、２本の支柱２の間に架設されている。羽板３は、多数設けられており、互いに上下に間隔をおいて水平面に対して傾斜した状態で支柱２の間に架設されている。本実施形態では、羽板３は、木製である。フェンス１を敷地の外縁に沿って設置する場合、図３Ｃに示すように、敷地外から敷地内を覗くことができないように、羽板３は、敷地外から敷地内に向かって斜め上方を向くように設置されている。
【００１７】
支持部材４は、支柱２の側面２ｂに設けられ、羽板３の端部を斜め上方に引き抜き可能に支持している。支持部材４は、例えばリベット等の固定具（不図示）によって支柱の側面に固定される。支持部材４は、図３Ｃに示すように、羽板３の端部を受ける受部４ａと、支柱２の側面に固定される固定部４ｂとを有する。本実施形態では、受部４ａおよび固定部４ｂは、薄板に折り曲げ加工等を施すことにより形成されている。よって、受部４ａおよび固定部４ｂは、互いに一体に設けられている。受部４ａは、斜め上方に開口した断面略コ字状ないし断面略Ｕ字状に形成されている。固定部４ｂは、受部４ａの基端部から支柱２の側面２ｂに沿って延出している。また、図３Ｃに例示する固定部４ｂは、受部４ａの基端部から３方に延出している。
【００１８】
支柱カバー５は、図４Ａ〜図４Ｃに示すように、支柱２および支持部材４を覆うようにして、支柱２に対してリベット等の固定具（不図示）を用いて固定されている。本実施形態では、支柱カバー５として、角パイプが使用されている。また、支柱カバー５には、図４Ｂおよび図４Ｃに示すように、切欠部５ａが設けられている。切欠部５ａは、支持部材４に対して斜め方向に抜き差しされる羽板３との干渉を回避するために設けられている。図４Ａ〜図４Ｃは、図２Ａ〜図２Ｃから規制板６を取り除いた状態を示す図である。本実施形態では、支柱カバー５は、アルミニウム合金製である。但し、支柱カバー５の材料は、アルミニウム合金に限定されず、他の金属であってもよい。
【００１９】
規制板６は、図２Ａ〜図２Ｃに示すように、支柱２（支柱カバー５）の前面２ｃに取り外し可能に、ビス等の固定具（不図示）によって、固定されている。規制板６は、支持部材４に支持された羽板３が支持部材４から斜め上方に引き抜くことができないように当該羽板４の移動を規制する。支柱２の前面２ｃに固定された規制板６は、支柱２の側方に延出した延出部６ａを有しており、延出部６ａによって支持部材４の受部４ａに差し込まれた羽板３の斜め上方への移動が規制されている。したがって、規制板６が支柱２に固定された状態では、羽板３を取り外すことができない。本実施形態では、規制板６は、アルミニウム合金製である。但し、規制板６の材料は、アルミニウム合金に限定されず、他の金属であってもよい。
【００２０】
羽板補強材７（図１参照）は、羽板３の中間部を補強する部材である。本実施形態では、図５に示すような羽板補強材７が設けられている。同図に示す羽板補強材７は、長方形の薄板に対して折り曲げ加工を施すことにより形成されたものである。羽板補強材７には、笠木１３の下部に沿って折り曲げられた笠木固定部７ｂと、羽板３の下端部が嵌め込まれる凹部７ａとが形成されている。笠木固定部７ｂは、笠木１３に対してビス等の固定具を用いて固定される。なお、羽板補強材７の材料はアルミニウム合金であるが、その他の金属であってもよい。
【００２１】
羽板補強材７は、上記に限定されず、他の形態での適用が可能である。例えば図６に示すような羽板補強材７Ａであってもよい。図６に示す羽板補強材７Ａは、角パイプに対して切込み加工を施すことにより形成されている。羽板補強材７Ａには、羽板３の下端部が嵌め込まれる凹部７Ａａが切込み加工によって形成されている。なお、羽板補強材７Ａの材料はアルミニウム合金であるが、その他の金属であってもよい。
【００２２】
また、羽板補強材は、例えば図７に示すような羽板補強材７Ｂであってもよい。図７に示す羽板補強材７Ｂは、角パイプ７Ｂａに対して折り曲げ加工を施したブラケット７Ｂｂを取り付けたものである。ブラケット７Ｂｂは、羽板３の下端部を支持する形状となっている。なお、羽板補強材７Ｂの材料もアルミニウム合金であるが、その他の金属であってもよい。
【００２３】
以上に説明したフェンス１は、図８（ａ）に示すように、直線的に設置されているが、図８（ｂ）に示すように、２本の支柱２を近接して立設し、フェンス１同士に角度を持たせて設置することも可能である。このようにすることで、フェンス１をカーブに沿って設置することが可能となる。
【００２４】
以上に説明した構成を備える本実施形態に係るフェンス１によれば、支柱２、支柱カバー５、笠木１３等の材料にアルミニウム合金を使用し、羽板３の材料に木材を使用することで、軽量化が図られる。軽量化によって地震の揺れに対して強いものとなる。また、フェンス１が軽量であれば、万一倒壊しても通行人が被害を受ける可能性が極めて低くなる。
【００２５】
また、本実施形態に係るフェンス１によれば、支柱２、支持部材４および支柱カバー５からなる躯体をあらかじめ工場等で製造しておくことができる。そうした場合、現場では、工場等で製造された躯体を立設し、羽板３を支持部材４に差し込み、規制板６を支柱２に取り付け、笠木１３を支柱２の上に固定するだけで効率よくフェンス１を構築することができる。
【００２６】
また、本実施形態に係るフェンス１によれば、木製の羽板３が経年腐食しても、支柱２に固定されている規制板６を取り外すだけで、簡単に羽板３を新しいものに取り換えることができる。
【００２７】
また、本実施形態に係るフェンス１によれば、既述したように、羽板３が水平方向に対して傾斜して設けられているので、敷地外から敷地内への視線を遮ることができるとともに、フェンス１が受ける風圧を逃がすこともできる。
【符号の説明】
【００２８】
１  フェンス
２  支柱
２ｂ  支柱の側面
３  羽板
４  支持部材
４ａ  受部
４ｂ  固定部
【図１】
2020094384.tif 000003
【図２Ａ】
2020094384.tif 000004
【図２Ｂ】
2020094384.tif 000005
【図２Ｃ】
2020094384.tif 000006
【図３Ａ】
2020094384.tif 000007
【図３Ｂ】
2020094384.tif 000008
【図３Ｃ】
2020094384.tif 000009
【図４Ａ】
2020094384.tif 000010
【図４Ｂ】
2020094384.tif 000011
【図４Ｃ】
2020094384.tif 000012
【図５】
2020094384.tif 000013
【図６】
2020094384.tif 000014
【図７】
2020094384.tif 000015
【図８】
2020094384.tif 000016